(57)【要約】【課題】  信号再生装置において、例外処理から復帰する際に再生信号が飽和する期間を短縮し、直ちに再生可能な状態になるよう、制御する。【解決手段】  可変増幅部２は再生された入力信号ＳＩを、与えられたゲインＧに応じて増幅し、出力する。制御値算出部２０は可変増幅部２の出力信号ＳＯから、ゲインＧの設定のための制御値ＣＶを算出する。この制御値ＣＶに応じて、制御部８はゲインＧを設定し、可変増幅部２に与える。ディフェクト検出部１１はディフェクト検出の発生を検出したとき、検出信号ＳＤを制御部８に送る。検出信号ＳＤが出力されている間、制御部８の例外処理時制御手段１０は、ゲインＧを、所定値に固定するか、増加しないように制限をかける。【選択図】  図１
2006351121.tif 000002
【特許請求の範囲】
【請求項１】
光学式記録媒体に記録されたデータを再生する信号再生装置であって、
前記光学式記録媒体から再生された入力信号を受け、与えられたゲインに応じて増幅し、出力する可変増幅部と、
前記可変増幅部の出力信号から、前記ゲインの設定のための制御値を算出する制御値算出部と、
前記制御値算出部によって算出された制御値に応じて、前記ゲインを設定し、前記可変増幅部に与える制御部と、
前記光学式記録媒体の再生における例外処理の発生を検出し、検出したとき、例外処理の発生を示す検出信号を前記制御部に送る例外処理検出部とを備え、
前記制御部は、
前記例外処理検出部から前記検出信号によって例外処理の発生が通知されている間、前記ゲインを、所定値に固定する、または、増加しないように制限をかける、例外処理時制御手段を備えている
ことを特徴とする信号再生装置。
【請求項２】
請求項１において、
前記例外処理検出部は、例外処理として、ディフェクト検出、トラッキング外れ、およびアクセス動作のうちの少なくともいずれか１つを、検出するものである
ことを特徴とする信号再生装置。
【請求項３】
請求項１において、
前記例外処理検出部は、前記検出信号の停止を、例外処理が終了してから所定時間遅延させる手段を備えている
ことを特徴とする信号再生装置。
【請求項４】
請求項１において、
前記例外処理時制御手段は、前記ゲインを、前記検出信号によって例外処理の発生が通知された直前の値に、固定するものである
ことを特徴とする信号再生装置。
【請求項５】
請求項１において、
前記例外処理時制御手段は、前記ゲインを、前記検出信号によって例外処理の発生が通知された直前の値に所定値を加算または減算して得た値に、固定するものである
ことを特徴とする信号再生装置。
【請求項６】
請求項１において、
前記制御値算出部は、
前記可変増幅部の出力信号の交流成分を通過させる低域成分除去部と、
前記低域成分除去部の出力信号のピーク値を求め、所定値とを比較するピーク比較部と、
前記ピーク比較部の出力を保持する信号保持部と、
前記信号保持部に保持された値を平均化する平均化部とを備え、
前記平均化部の出力を、前記制御値として出力するものである
ことを特徴とする信号再生装置。
【発明の詳細な説明】
【技術分野】
【０００１】
本発明は、光ディスクのような光学式記録媒体に記録されたデータの再生装置に関し、特に、データ再生信号の自動利得制御（ＡＧＣ）機能を有するディジタル制御回路を備えた信号再生装置に関する。
【背景技術】
【０００２】
従来、光ディスクシステムにおける信号処理回路として、信号再生系の利得を固定して再生すると、再生振幅が小さすぎたり、逆に大きすぎたりして信号が飽和してしまう可能性があった。このため、再生信号の振幅を一定にするために、自動利得制御(ＡＧＣ)が用いられている。
【０００３】
例えば特許文献１には、光ピックアップから出力される再生信号の処理にＡＧＣを用いた例が開示されている。すなわち、信号の上側および下側それぞれの検波処理を行い、振幅の大きさを検知し、その検知した大きさに応じたゲインを可変増幅器に与える。また、出力信号の中心を検知するための直流生成回路の出力も可変ゲインアンプに与え、入力信号のオフセットを打ち消す。これら振幅値や直流値を、ＡＧＣの処理を行う際に可変増幅器に与えることによって、入力信号の振幅が変化しても、出力信号の振幅が一定になるように動作させることができる。
【０００４】
光ディスクシステムにおける信号処理回路に関しては、再生信号の信頼性を少しでも向上させるような回路構成の開発が期待されている。
【特許文献１】特開２０００−１３４０４９号公報（８頁、図１）
【特許文献２】特開平１０−２６９５９０号公報
【発明の開示】
【発明が解決しようとする課題】
【０００５】
従来の信号再生装置では、ディスク面のキズやブラックドットの検出(以下、ディフェクト検出と呼ぶ)、トラッキング外れやアクセス動作（以下、これら３つを例外処理と称する）の間でも、ＡＧＣ回路が動作し続ける。このため、しばらくの間、信号の再生ができなくなる場合があった。
【０００６】
図１１は従来の信号再生装置の構成の一例を示すブロック図である。光ピックアップから出力された再生信号は入力端子５１を介して（入力信号ＳＩ）可変増幅部５２によってて増幅された後、出力端子５９に出力信号ＳＯとして出力される。その一方で、出力信号ＳＯは低域成分除去部５３によって直流成分が除去される。ここで、可変増幅部５２の増幅度は制御部５８が出力する制御値（ゲインＧ）によって決定される。低域成分除去部５３から出力された信号は、ピーク比較部５５によって、そのピーク値と所定値５４とが比較される。比較の結果は信号保持部５６により一定時間保持される。さらに、信号保持部５６から出力された信号は、平均化部５７によって一定間隔で加算され、その和が平均値として出力され、制御部５８に入力される。制御部５８は、可変増幅部５２にゲインＧを与え、装置全体に負帰還がかかるように増幅レベルを制御する。
【０００７】
図１２は図１１の信号再生装置におけるディスク上にあるディフェクト通過中の信号波形を示すタイミングチャートである。図１２において、（ａ）は入力端子５１を介して可変増幅部５２に与えられる入力信号ＳＩ、（ｂ）は可変増幅部５２に与えられるゲインＧ、（ｃ）は可変増幅部５２から出力された出力信号ＳＯ、（ｄ）はディスク面のキズ、汚れ、ほこり等を通過するときに検出できる信号である。ディフェクト検出中のとき、“Ｈ”になる。
【０００８】
図１２において、時間Ｔ１のディフェクト検出直前では、入力信号ＳＩの振幅が小さくなり、ゲインＧが増加し始める。時間Ｔ２でディフェクト検出が始まる。時間Ｔ３では、ゲインＧが帰還されて出力信号ＳＯの振幅が上昇し始める。時間Ｔ４では、出力信号ＳＯの振幅が所望の値に達した、またはゲイン値Ｇが最大値になっている。時間Ｔ５では、入力信号ＳＩの振幅が増加し始めている。このとき、ゲインＧは所望の値と比べて高いので、出力信号ＳＯが飽和してしまう期間が発生する。時間Ｔ６では、入力信号ＳＩの振幅が所望の値になったため、ゲインＧが減少し始める。このため、時間Ｔ７では帰還により出力信号ＳＯが下降し始めている。時間Ｔ９では、ゲインＧが所望の値になるため、出力信号ＳＯも安定する。
【０００９】
このように、ディフェクト検出時において、出力信号ＳＯが飽和する期間が生じる。
【００１０】
図１３は図１１の信号再生装置におけるトラッキング外れ時の信号波形を示すタイミングチャートである。図１３において、（ａ）は入力端子５１を介して可変増幅部５２に与えられる入力信号ＳＩ、（ｂ）は可変増幅部５２に与えられるゲインＧ、（ｃ）は可変増幅部５２から出力された出力信号ＳＯ、（ｄ）はトラッキング外れが検出されたか否かを示す信号である。トラッキング外れが検出されたとき、“Ｈ”になる。
【００１１】
図１３において、時間Ｔ１のトラッキング外れ直前では、入力信号ＳＩの振幅が小さくなる。このとき、ゲインＧも増加し始める。時間Ｔ２では、トラッキング外れが検出されている。時間Ｔ３では、ゲインＧが帰還されて出力信号ＳＯの振幅が増加し始めている。時間Ｔ４では、出力信号ＳＯの振幅が所望の値に達している、または、ゲインＧが最大値になっている。時間Ｔ５では、入力信号ＳＩの振幅が増加し始め、トラッキングを引きこみ始めている。入力信号ＳＩの振幅が増加し始めてもゲインＧは所望の値と比べて高いので、出力信号ＳＯが飽和する期間が生じる。時間Ｔ６では入力信号ＳＩの振幅が所望の値になったため、ゲインＧが減り始める。このため、時間Ｔ７では、帰還により出力信号ＳＯが減少し始めている。時間Ｔ９では、ゲインＧが所望の値になるため、出力信号ＳＯも安定する。
【００１２】
このように、トラッキング外れ時において、出力信号ＳＯが飽和する期間が生じる。
【００１３】
図１４は図１１の信号再生装置におけるアクセス動作時の信号波形を示すタイミングチャートである。図１４において、（ａ）は入力端子５１を介して可変増幅部５２に与えられる入力信号ＳＩ、（ｂ）は可変増幅部５２に与えられるゲインＧ、（ｃ）は可変増幅部５２から出力された出力信号ＳＯ、（ｄ）はアクセス動作中か否かを示す信号である。アクセス動作中のとき、“Ｈ”になる。
【００１４】
図１４において、時間Ｔ１のアクセス動作直前では、入力信ＳＩの振幅のオフセットが明側に移動する。ＡＧＣ動作により、ゲインＧが下がったと判断され、ゲインＧは増加し始める。時間Ｔ３では、ゲインＧが帰還されて出力信号ＳＯの振幅が増加し始めている。時間Ｔ４は出力信号ＳＯの振幅が所望の値に達した、もしくは、ゲインＧが最大値になった時点である。時間Ｔ５では、入力信号ＳＩの振幅が上昇し始め、ゲインＧは所望の値と比べて高いので、出力信号ＳＯが飽和する期間が生じる。時間Ｔ６では、入力信号ＳＩの振幅が所望の値になったため、ゲインＧが下がり始める。このため、時間Ｔ７で、帰還により出力信号ＳＯが下降し始めている。時間Ｔ９では、ゲインＧが所望の値になるため、出力信号ＳＯも安定する。
【００１５】
このように、アクセス動作時において、出力信号が飽和する期間が生じる。
【００１６】
図１２〜図１４のように、従来技術では、例外処理から復帰する際に再生信号が飽和する期間が生じる場合がある。これにより、次のような問題がある。
１）例外処理から復帰する際、目標データへのアクセスタイムが増大してしまう。
２）飽和する期間は再生信号の傾きが変化するため、再生ジッタ（アナログ信号の時間軸の揺れ）が発生し、誤ったデータを読み取る可能性が高くなる。
【００１７】
前記の問題に鑑み、本発明は、光学式記録媒体に記録されたデータを再生する信号再生装置において、例外処理から復帰する際に、再生信号が飽和する期間を短縮し、直ちに再生可能な状態になるよう制御することを課題とする。
【課題を解決するための手段】
【００１８】
前記の課題を解決するために、本発明は、光学式記録媒体に記録されたデータを再生する信号再生装置として、前記光学式記録媒体から再生された入力信号を受け、与えられたゲインに応じて増幅し、出力する可変増幅部と、前記可変増幅部の出力信号から、前記ゲインの設定のための制御値を算出する制御値算出部と、前記制御値算出部によって算出された制御値に応じて、前記ゲインを設定し、前記可変増幅部に与える制御部と、前記光学式記録媒体の再生における例外処理の発生を検出し、検出したとき、例外処理の発生を示す検出信号を前記制御部に送る例外処理検出部とを備え、前記制御部は、前記例外処理検出部から前記検出信号によって例外処理の発生が通知されている間、前記ゲインを、所定値に固定する、または、増加しないように制限をかける、例外処理時制御手段を備えているものである。
【００１９】
本発明によると、光学式記録媒体の再生において例外処理が発生したとき、例外処理検出部から制御部に、例外処理の発生を示す検出信号が送られる。制御部は、例外処理時制御手段を備えており、検出信号によって例外処理の発生が通知されている間、例外処理時制御手段は、可変増幅部に与えるゲインを、所定値に固定する、または、増加しないように制限をかける。このため、例外処理が発生している間、可変増幅部の入力信号の振幅が小さくなった場合でも、ＡＧＣ動作におけるゲインが増加しない。したがって、例外処理から復帰したときに、帰還によって可変増幅部の出力信号が飽和する期間が、従来よりも短縮される。
【００２０】
また、前記本発明に係る信号再生装置における例外処理検出部は、例外処理として、ディフェクト検出、トラッキング外れ、およびアクセス動作のうちの少なくともいずれか１つを、検出するものであるのが好ましい。
【００２１】
また、前記本発明に係る信号再生装置における例外処理検出部は、前記検出信号の停止を、例外処理が終了してから所定時間遅延させる手段を備えているのが好ましい。
【００２２】
また、前記本発明に係る信号再生装置における例外処理時制御手段は、前記ゲインを、前記検出信号によって例外処理の発生が通知された直前の値に、固定するものであるのが好ましい。
【００２３】
また、前記本発明に係る信号再生装置における例外処理時制御手段は、前記ゲインを、前記検出信号によって例外処理の発生が通知された直前の値に所定値を加算または減算して得た値に、固定するものであるのが好ましい。
【００２４】
また、前記本発明に係る信号再生装置における制御値算出部は、前記可変増幅部の出力信号の交流成分を通過させる低域成分除去部と、前記低域成分除去部の出力信号のピーク値を求め、所定値とを比較するピーク比較部と、前記ピーク比較部の出力を保持する信号保持部と、前記信号保持部に保持された値を平均化する平均化部とを備え、前記平均化部の出力を、前記制御値として出力するものであるのが好ましい。
【発明の効果】
【００２５】
本発明によると、例外処理から復帰したときに再生信号が飽和する期間を、従来よりも短縮することができる。したがって、信号再生の応答性や信頼性を、向上させることができる。
【発明を実施するための最良の形態】
【００２６】
以下、本発明の実施の形態について、図面を参照して説明する。
【００２７】
（第１の実施形態）
図１は本発明の第１の実施形態に係る信号再生装置の構成を示すブロック図である。図１の信号再生装置は、光ディスク等の光学式記録媒体に記録されたデータを再生する。
【００２８】
図１において、入力端子１は光ピックアップから出力された再生信号を入力信号ＳＩとして受ける。可変増幅部２は入力端子１から入力信号ＳＩを受け、与えられたゲインＧに応じてこれを増幅し、出力する。ここでのゲインＧは、制御部８によって制御される。可変増幅部２の出力信号ＳＯは出力端子９に出力される。またその一方で、出力信号ＳＯは低域成分除去部３に与えられ、低域成分除去部３はその直流成分を除去し、交流成分を通過させる。低域成分除去部３の出力信号はピーク比較部５に送られ、ピーク比較部５は、低域成分除去部３の出力信号のピーク値を求め、これを所定値４と比較する。比較結果は信号保持部６により一定時間保持される。平均化部７は、信号保持部６から出力された信号を一定間隔で加算し、その和を平均値として出力する。この平均値は、可変増幅部２におけるゲインを制御する基となる制御値ＣＶとして、制御部８に与えられる。低域成分除去部３、ピーク比較部５、信号保持部６および平均化部７によって、制御値算出部２０が構成されている。
【００２９】
例外処理検出部としてのディフェクト検出部１１は、光学式記録媒体の再生におけるディフェクト検出の発生を検出する。ディフェクトとは、例えば、光ディスクのディスク面におけるキズ、汚れ、ほこり等である。そして、検出したとき、ディフェクト検出の発生を示す検出信号ＳＤを制御部８に送る。
【００３０】
制御部８は、通常状態、すなわち検出信号ＳＤを受けていないときは、帰還された制御値ＣＶに応じてゲインＧを制御する。すなわち、自動利得制御（ＡＧＣ：Auto Gain Control）が実現される。
【００３１】
一方、検出信号ＳＤによってディフェクト検出の発生が通知されたとき、例外処理時制御手段１０が、ゲインＧが増加しないように制限をかける。この動作は、検出信号ＳＤによる通知がなくなるまで、すなわち例外処理としてのディフェクト検出が終了するまで、続けられる。あるいは、例外処理時制御手段１０は、検出信号ＳＤによってディフェクト検出の発生が通知されている間、ゲインＧを固定する。固定する値は、例えば、検出信号ＳＤによってディフェクト検出の発生が通知された直前のゲインＧの値とする。
【００３２】
図２は図１の信号再生装置におけるディフェクト検出発生時の信号波形を示すタイミングチャートである。図２において、（ａ）は可変増幅部２の入力信号ＳＩ、（ｂ）は可変増幅部２のゲインＧ、（ｃ）は可変増幅部２の出力信号ＳＯ、（ｄ）はディフェクト検出部１１から出力された検出信号ＳＤである。
【００３３】
図２において、時間Ｔ１のディフェクト検出直前では、入力信号ＳＩの振幅が小さくなり始める。このとき、ゲインＧは増加し始める。時間Ｔ２において、ディフェクト検出の発生が検出信号ＳＤによって通知される。検出信号ＳＤを受けた制御部８では、例外処理時制御手段１０が、ゲインＧを、増加しないように制限をかけるか、所定値に固定する。時間Ｔ５において、ディフェクト検出から復帰したとき、例外処理時制御手段１０の動作は解除され、通常状態のＡＧＣが動作する。すると、入力信号ＳＩの振幅が所望の振幅になる時間Ｔ６まで、ゲインＧは増加する。ただし、時間Ｔ２からＴ５までの間、ゲインＧは制限または固定されていたので、所望値と比べて高いゲインＧによって出力信号ＳＯが飽和してしまう期間が、従来よりも短縮される。入力信号ＳＩの振幅が所望の値になると、ゲインＧは下がり始める。時間Ｔ７では、帰還により出力信号ＳＯの振幅が小さくなり始める。時間Ｔ８では、ゲインＧが所望の値になるため、出力信号ＳＯも所望の振幅で安定する。
【００３４】
（第２の実施形態）
図３は本発明の第２の実施形態に係る信号再生装置の構成を示すブロック図である。図３では、図１と共通の構成要素には図１と同一の符号を付しており、ここではその詳細な説明を省略する。
【００３５】
図３の構成では、ディフェクト検出の発生を示す検出信号ＳＤについて、復帰する側を引き伸ばす引き伸ばし手段１２を備えている。すなわち、引き伸ばし手段１２は、検出信号ＳＤを停止するタイミングを、例外処理としてのディフェクト検出が終了してから所定時間遅延させ、新たな検出信号ＳＤａとして出力する。この新たな検出信号ＳＤａが、検出信号ＳＤの代わりに、制御部８に与えられる。本実施形態では、ディフェクト検出部１１および引き伸ばし手段１２によって、例外処理検出部が構成されている。
【００３６】
図４は図３の信号再生装置におけるディフェクト検出発生時の信号波形を示すタイミングチャートである。図４において、（ａ）は可変増幅部２の入力信号ＳＩ、（ｂ）は可変増幅部２のゲインＧ、（ｃ）は可変増幅部２の出力信号ＳＯ、（ｄ）は引き伸ばし手段１２から出力された検出信号ＳＤａである。
【００３７】
図４の動作は、第１の実施形態の図２とほぼ同様である。図２と異なるのは、ディフェクト検出が終了した時間Ｔ５において検出信号ＳＤａが停止せずに、所定時間後の時間Ｔ６において検出信号ＳＤａが停止している点である。すなわち、時間Ｔ５からＴ６までの間も、ゲインＧは制限または固定されている。ゲインＧが制限または固定される期間が時間Ｔ６まで延びているので、所望値と比べて高いゲインＧによって出力信号ＳＯが飽和してしまう期間が、第１の実施形態よりも短縮される。
【００３８】
（第３の実施形態）
本発明の第３の実施形態に係る信号再生装置の構成は、図３と同様である。異なるのは、例外処理時制御手段１０が、検出信号ＳＤａによってディフェクト検出の発生が通知されている間、ディフェクト検出の発生が通知された直前のゲインＧの値に所定値を加算または減算して得た値に、ゲインＧを固定する点である。
【００３９】
図５は本実施形態におけるディフェクト検出発生時の信号波形を示すタイミングチャートである。図２において、（ａ）は可変増幅部２の入力信号ＳＩ、（ｂ）は可変増幅部２のゲインＧ、（ｃ）は可変増幅部２の出力信号ＳＯ、（ｄ）は引き伸ばし手段１２から出力された検出信号ＳＤａである。
【００４０】
図５の動作は、第２の実施形態の図４とほぼ同様である。図４と異なるのは、ディフェクト検出の発生が検出された時間Ｔ２において、例外処理時制御手段１０が、そのときのゲインＧから所定値を減算している点である。このときの所定値は、ある特定の状態において、出力信号ＳＯの飽和期間が短くなるような値に設定すればよい。これにより、時間Ｔ６において検出信号ＳＤａが停止し、ＡＧＣ動作が復帰した後に、ゲインＧは上昇せず、出力信号ＳＯの振幅が所望の振幅で安定する。
【００４１】
（第４の実施形態）
図６は本発明の第４の実施形態に係る信号発生装置の構成を示すブロック図である。図６では、図１および図３と共通の構成要素には図１および図３と同一の符号を付しており、ここではその詳細な説明を省略する。
【００４２】
図６では、ディフェクト検出部１１の代わりに、トラッキング外れ中か否かを検出するトラッキング外れ検出部１３が設けられている。トラッキング外れ検出部１３は、トラッキング外れを検出したとき、トラッキング外れ検出の発生を示す検出信号ＳＤ２を出力する。引き伸ばし手段１２は、検出信号ＳＤ２を停止するタイミングを、例外処理としてのトラッキング外れ検出が終了してから所定時間遅延させ、新たな検出信号ＳＤ２ａとして出力する。この新たな検出信号ＳＤ２ａが、検出信号ＳＤ２の代わりに、制御部８に与えられる。本実施形態では、トラッキング外れ検出部１３および引き伸ばし手段１２によって、例外処理検出部が構成されている。なお、引き伸ばし手段１２を設けないで、検出信号ＳＤ２を制御部８に与えてもよい。
【００４３】
制御部８は、検出信号ＳＤ２ａによってトラッキング外れ検出の発生が通知されたとき、例外処理時制御手段１０が、ゲインＧを初期の設定値に固定する。なお、検出信号ＳＤ２ａによってトラッキング外れ検出の発生が通知された直前のゲインＧの値に、固定してもかまわない。あるいは、ゲインＧが増加しないように制限をかけてもかまわない。
【００４４】
図７は図６の信号再生装置におけるトラッキング外れ検出発生時の信号波形を示すタイミングチャートである。図７において、（ａ）は可変増幅部２の入力信号ＳＩ、（ｂ）は可変増幅部２のゲインＧ、（ｃ）は可変増幅部２の出力信号ＳＯ、（ｄ）はトラッキング外れ検出部１３から引き伸ばし手段１２を介して出力された検出信号ＳＤ２ａである。
【００４５】
本実施形態は、まだ１度もトラッキング引き込みを行ったことのない場合に適している。このため、図７では、ＡＧＣのゲインＧがでたらめな値になっているものとした。
【００４６】
図７において、時間Ｔ１のトラッキング外れ検出直前では、入力信号ＳＩの振幅が小さくなり始める。時間Ｔ２において、トラッキング外れ検出が検出信号ＳＤ２ａによって通知される。検出信号ＳＤ２ａを受けた制御部８では、例外処理時制御手段１０が、ゲインＧを初期設定値に設定する。もちろん、トラッキング外れ検出と同時でなくても、図７（ｂ）で示したゲイン設定期間中に初期設定値に設定すれば、同等の効果が得られることは言うまでもない。時間Ｔ６において、トラッキング引き込みが終了してから引き伸ばされた検出信号ＳＤ２ａが停止した後、出力信号ＳＯの振幅が所望の振幅になった状態から、通常のＡＧＣが動作する。このとき、ゲインＧは所望の値に近い状態になっているた
め（初期設定値が所望の値に一致することは少ないので、図７では少し高い値を取るように図示している）、出力信号ＳＯが飽和する期間が従来よりも短縮できる。時間Ｔ６では、入力信号ＳＩの振幅が所望の値になったため、ゲインＧが下がり始める。時間Ｔ７では、下がり始めたゲインＧが帰還されて出力信号ＳＯの振幅が減り始める。時間Ｔ８では、ゲインＧが所望の値になるため、出力信号ＳＯも所望の振幅で安定する。
【００４７】
（第５の実施形態）
本発明の第５の実施形態に係る信号再生装置の構成は、図６と同様である。第４の実施形態と異なるのは、検出信号ＳＤ２ａによってトラッキング外れ検出の発生が通知されたとき、例外処理時制御手段１０が、ゲインＧが増加しないように制限をかける点である。本実施形態は、再トラッキング引き込み時に適している。
【００４８】
図８は本実施形態におけるトラッキング外れ検出発生時の信号波形を示すタイミングチャートである。図８において、（ａ）は可変増幅部２の入力信号ＳＩ、（ｂ）は可変増幅部２のゲインＧ、（ｃ）は可変増幅部２の出力信号ＳＯ、（ｄ）はトラッキング外れ検出部１３から引き伸ばし手段１２を介して出力された検出信号ＳＤ２ａである。
【００４９】
図８において、時間Ｔ１のトラッキング外れ検出直前では、入力信号ＳＩの振幅が小さくなり始める。これとともに、ゲインＧが増加し始める。時間Ｔ２において、トラッキング外れ検出が検出信号ＳＤ２ａによって通知される。検出信号ＳＤ２ａを受けた制御部８では、例外処理制制御手段１０が、トラッキング外れ検出する前のゲインＧを保持する、または、ゲインＧが増加しないように制限をかける。時間Ｔ６において、トラッキング引き込みが終了してから引き伸ばされ検出信号ＳＤ２ａが停止した後、出力信号ＳＯの振幅が所望の振幅になった状態から、通常のＡＧＣが動作する。このとき、ゲインＧは上昇することもなく、出力信号ＳＯの振幅が所望の振幅で安定する。
【００５０】
（第６の実施形態）
図９は本発明の第６の実施形態に係る信号発生装置の構成を示すブロック図である。図９では、図１および図３と共通の構成要素には図１および図３と同一の符号を付しており、ここではその詳細な説明を省略する。
【００５１】
図９では、ディフェクト検出部１１の代わりに、アクセス動作を実行中か否かを検出するアクセス動作検出部１４が設けられている。アクセス動作検出部１４は、アクセス動作を実行中であるとき、アクセス動作の検出を示す検出信号ＳＤ３を出力する。引き伸ばし手段１２は、検出信号ＳＤ３を停止するタイミングを、例外処理としてのアクセス動作が終了してから所定時間遅延させ、新たな検出信号ＳＤ３ａとして出力する。この新たな検出信号ＳＤ３ａが、検出信号ＳＤ３の代わりに、制御部８に与えられる。本実施形態では、アクセス動作検出部１４および引き伸ばし手段１２によって、例外処理検出部が構成されている。なお、引き伸ばし手段１２を設けないで、検出信号ＳＤ３を制御部８に与えてもよい。
【００５２】
制御部８は、検出信号ＳＤ３ａによってアクセス動作の検出が通知されたとき、例外処理時制御手段１０が、ゲインＧを初期の設定値に固定する。なお、検出信号ＳＤ３ａによってトラッキング外れ検出の発生が通知された直前のゲインＧの値に、固定してもかまわない。あるいは、ゲインＧが増加しないように制限をかけてもかまわない。
【００５３】
図１０は図９の信号再生装置におけるアクセス動作検出時の信号波形を示すタイミングチャートである。図１０において、（ａ）は可変増幅部２の入力信号ＳＩ、（ｂ）は可変増幅部２のゲインＧ、（ｃ）は可変増幅部２の出力信号ＳＯ、（ｄ）はアクセス動作検出部１４から引き伸ばし手段１２を介して出力された検出信号ＳＤ３ａである。
【００５４】
図１０において、時間Ｔ１のアクセス動作検出直前では、入力信号ＳＩのレベルが明るいと判断される方へ下がり始める。このとき、検出信号ＳＤ３ａを受けた制御部８では、例外処理時制御手段１０が、アクセス動作検出する前のゲインＧを保持する、または、ゲインＧが増加しないように制限をかける。時間Ｔ６において、出力信号ＳＯのレベルが所望の位置になる時点で通常のＡＧＣ動作を再開すると、ゲインＧは上昇することもなく、出力信号ＳＯが所望のレベルで安定する。
【００５５】
以上説明した第１〜第６の実施形態は、いずれも、例外処理から復帰する際に再生信号が飽和する期間が短縮される構成になっているが、それぞれに特徴がある。第１の実施形態は、最もシンプルであり、ディフェクト検出中から復帰するときに再生信号が飽和する期間を、効果的に短縮させることができる。また、第２の実施形態は、平均的なディフェクトに対応した回路構成であるといえる。第３の実施形態は、図では最も効果があるような波形を示しているが、倍速再生などディフェクト信号の立ち上がり方が変化したとき、ＡＧＣのホールド値に加算や減算をしてしまうと、再生信号が余計に飽和してしまう可能性がある。このため、使用方法を選択する必要がある。
【００５６】
第４および第５の実施形態は、それぞれ単独で採用しても、再生信号が飽和する期間を短縮できるが、さらに組み合わせて用いることによって、より効果的な構成になる、すなわち、トラッキング引き込みを初めて行う場合は第４の実施形態を用い、衝撃などに起因してトラッキングが外れ、トラッキングを再引き込みする場合は第５の実施形態を用いることによって、再生信号が飽和する期間をより効果的に短縮することができる。第６の実施形態は、アクセス動作時に最も効果的に飽和期間を短縮できる構成になっている。
【００５７】
よって、第２の実施形態のような引き伸ばし有りのディフェクト検出中の処理と、第４および第５の実施形態を組み合わせたトラッキング外れ時の処理と、第６の実施形態のアクセス動作中の処理とを組み合わせることによって、最良の形態を実現することができる。
【産業上の利用可能性】
【００５８】
本発明に係る信号再生装置は、自動増幅制御の機能を制御し、再生信号の信頼性向上を図ることができるので、例えば、光ディスクシステムの信号再生装置として有用である。
【図面の簡単な説明】
【００５９】
【図１】第１の実施形態に係る信号再生装置のブロック構成図である。
【図２】第１の実施形態におけるディフェクト検出発生時の信号波形を示すタイミングチャートである。
【図３】第２の実施形態に係る信号再生装置のブロック構成図である。
【図４】第２の実施形態におけるディフェクト検出発生時の信号波形を示すタイミングチャートである。
【図５】第３の実施形態におけるディフェクト検出発生時の信号波形を示すタイミングチャートである。
【図６】第４の実施形態に係る信号再生装置のブロック構成図である。
【図７】第４の実施形態におけるトラッキング外れ検出時の信号波形を示すタイミングチャートである。
【図８】第５の実施形態におけるトラッキング外れ検出時の信号波形を示すタイミングチャートである。
【図９】第６の実施形態に係る信号発生装置のブロック構成図である。
【図１０】第６の実施形態におけるアクセス動作検出時の信号波形を示すタイミングチャートである。
【図１１】従来の信号再生装置の構成の一例を示すブロック図である。
【図１２】従来のディフェクト検出発生時の信号波形を示すタイミングチャートである。
【図１３】従来のトラッキング外れ検出時の信号波形を示すタイミングチャートである。
【図１４】従来のアクセス動作検出時の信号波形を示すタイミングチャートである。
【符号の説明】
【００６０】
１  入力端子
２  可変増幅部
３  低域成分除去部
５  ピーク比較部
６  信号保持部
７  平均化部
８  制御部
９  出力端子
１０  例外処理制御手段
１１  ディフェクト検出部（例外処理検出部）
１２  引き伸ばし手段
１３  トラッキング外れ検出部（例外処理検出部）
１４  アクセス動作検出部（例外処理検出部）
ＳＩ  入力信号
ＳＯ  出力信号
Ｇ  ゲイン
ＣＶ  制御値
ＳＤ，ＳＤａ，ＳＤ２，ＳＤ２ａ，ＳＤ３，ＳＤ３ａ  検出信号
【図１】
2006351121.tif 000003
【図２】
2006351121.tif 000004
【図３】
2006351121.tif 000005
【図４】
2006351121.tif 000006
【図５】
2006351121.tif 000007
【図６】
2006351121.tif 000008
【図７】
2006351121.tif 000009
【図８】
2006351121.tif 000010
【図９】
2006351121.tif 000011
【図１０】
2006351121.tif 000012
【図１１】
2006351121.tif 000013
【図１２】
2006351121.tif 000014
【図１３】
2006351121.tif 000015
【図１４】
2006351121.tif 000016